(57)【要約】      （修正有）【課題】洗浄に用いた洗浄液を容易に排出できる金属製品を提供すること。【解決手段】少なくとも一部が金属板で構成され、前記金属板における少なくとも一部の外縁部５Ｂが折り返された形状を有する金属製品１であって、前記金属板のうち、前記外縁部５Ｂ、又は前記外縁部５Ｂと対向する部分に、前記金属板を貫通する開口部９を少なくとも１つ有することを特徴とする金属製品１。前記外縁部５Ｂは、例えば、円弧状に折り返された形状を有し、前記外縁部５Ｂの内部に空間が存在する。前記外縁部５Ｂの端面は、例えば、前記金属板のいずれかの位置に接触しているか、近接していることができる。【選択図】図１
2015085334.tif 000002
【特許請求の範囲】
【請求項１】
少なくとも一部が金属板で構成され、前記金属板における少なくとも一部の外縁部が折り返された形状を有する金属製品であって、
前記金属板のうち、前記外縁部、又は前記外縁部と対向する部分に、前記金属板を貫通する開口部を少なくとも１つ有することを特徴とする金属製品。
【請求項２】
前記外縁部は、円弧状に折り返された形状を有し、前記外縁部の内部に空間が存在することを特徴とする請求項１に記載の金属製品。
【請求項３】
前記外縁部の端面が、前記金属板のいずれかの位置に接触しているか、近接していることを特徴とする請求項１又は２に記載の金属製品。
【請求項４】
前記開口部の縁部は、内側に屈曲していることを特徴とする請求項１〜３のいずれか１項に記載の金属製品。
【発明の詳細な説明】
【技術分野】
【０００１】
本発明は金属製品に関する。
【背景技術】
【０００２】
金属板から成る金属製品の端面がそのまま露出されていると、使用者がその端面で怪我をするおしれがある。そのため、金属板の端面を含む外縁部を折り返し、端面を隠す加工が行われる。
【先行技術文献】
【特許文献】
【０００３】
【特許文献１】特許第３２０８３２７号公報
【発明の概要】
【発明が解決しようとする課題】
【０００４】
金属製品は、塗装等を行う前に、洗浄液を用いて洗浄される。上記のように、金属製品の外縁部を折り曲げていると、洗浄のとき、折り曲げられた外縁部の内側に洗浄液が侵入し、洗浄液が残留し易くなる。洗浄液が残留していると、後の塗装等の処理に悪影響を及ぼすおそれがある。
【０００５】
本発明は以上の点に鑑みなされたものであり、上述した課題を解決できる金属製品を提供することを目的とする。
【課題を解決するための手段】
【０００６】
本発明の金属製品は、少なくとも一部が金属板で構成され、前記金属板における少なくとも一部の外縁部が折り返された形状を有する金属製品であって、前記金属板のうち、前記外縁部、又は前記外縁部と対向する部分に、前記金属板を貫通する開口部を少なくとも１つ有することを特徴とする。
【０００７】
本発明の金属製品は、洗浄液を用いて洗浄したとき、折り返された外縁部の内側に洗浄液が入ったとしても、その洗浄液を開口部から容易に排出することができる。
本発明の金属製品において、前記外縁部は、例えば、円弧状に折り返された形状を有し、前記外縁部の内部に空間が存在することがある。この場合、洗浄液を用いて金属製品を洗浄したとき、空間に洗浄液が入り易いが、開口部から空間内の洗浄液を容易に排出することができる。
【０００８】
本発明の金属製品において、前記外縁部の端面は、例えば、前記金属板のいずれかの位置に接触しているか、近接しているようにすることができる。この場合、金属製品の使用者が端面で怪我をするおそれを一層低減できる。
【０００９】
前記開口部の縁部は、例えば、内側に屈曲させることができる。この場合、金属製品の使用者がこの縁部で怪我をしてしまうことが起こり難い。
本発明の金属製品は、例えば、以下の工程により製造できる。
（ａ１）金属板を用意する。
（ａ２）金属板のうち、後に前記外縁部、又は前記外縁部と対向する部分となる部分に開口部を設ける。開口部は、例えば、穿孔、又は打ち抜きにより設けることができる。
（ａ３）金属板の外縁部に塑性曲げを施し、折り返された形状とする。なお、前記（ａ２）において開口部を設けたとき、その周囲にバリが生じている場合は、バリが内側となるように、金属板の外縁部を折り返すことが好ましい。
（ａ４）金属板を液体（洗浄液）により洗浄する。
（ａ５）折り返された外縁部の内側に存在する前記液体の少なくとも一部を前記開口部から排出する。
【００１０】
本発明の金属製品は、例えば、以下の工程により洗浄できる。この洗浄方法には、後述するように、液体を排出する工程（ｂ３）を含む。この（ｂ３）は、液体を排出する方法に該当する。
（ｂ１）金属製品のうち、少なくとも、前記外縁部を含む部分を液体（洗浄液）に接触させる。例えば、金属製品を液体に浸漬させる、液体をノズルから噴出し、金属製品にかける、等の方法をとることができる。このとき、液体の少なくとも一部は、金属製品のうち、折り返された外縁部と、それに対向する部分との間に侵入する。
（ｂ３）金属製品のうち、折り返された外縁部と、それに対向する部分との間に存在していた液体を、開口部から排出する。このとき、開口部が下側となるように、金属製品の向きを設定することが好ましい。また、金属製品におけるその他の部分（外縁部と、それに対向する部分との間以外）に付着又は残留していた液体も、排出することができる。
【図面の簡単な説明】
【００１１】
【図１】金属製品１の構成を表す、斜め上方から見た斜視図である。
【図２】金属製品１の構成を表す、斜め下方から見た斜視図である。
【図３】金属製品１における側面５を表す斜視図である。
【図４】金属製品１の側断面図である。
【図５】外縁部５Ｂの構成を表す説明図である。
【図６】別形態の金属製品１における側面５を表す斜視図である。
【図７】別形態の金属製品１における側面５を表す斜視図である。
【図８】別形態の金属製品１における側面５を表す斜視図である。
【図９】別形態の金属製品１における側面５を表す斜視図である。
【図１０】別形態の金属製品１における側面５を表す斜視図である。
【図１１】別形態の金属製品１における側面５を表す斜視図である。
【図１２】別形態の金属製品１における側面５を表す斜視図である。
【図１３】別形態の金属製品１における側面５を表す斜視図である。
【図１４】別形態における外縁部５Ｂを含む側面５の側断面図である。
【図１５】別形態における外縁部５Ｂを含む側面５の側断面図である。
【発明を実施するための形態】
【００１２】
本発明の実施形態を図面に基き説明する。
１．金属製品１の構成
金属製品１の構成を図１〜図５に基き説明する。金属製品１は金属板から構成される。金属板の材質は特に限定されず、例えば、鉄、アルミ、ステンレス、チタン、銅、金、銀、白金、及びそれらの合金から選択できる。
【００１３】
金属製品１は、上側が開放された容器であり、円形の底面３と、側面５とを備える。側面５は、底面３に近づくほど径が小さくなる筒状部材である。
図４に示すように、側面５のうち、底面３とは反対側の端面５Ａから一定幅の領域である外縁部５Ｂは、金属製品１の外向きに、円弧状に折り返された形状を有する。端面５Ａは、側面５のうち、外縁部５Ｂと対向する部分である５Ｃに接触している。その結果、外縁部５Ｂの内部には、空間７が存在する。
【００１４】
外縁部５Ｂには、それを貫通する孔である開口部９が設けられている。空間７は、開口部９により外部と連通する。開口部９の上下方向における位置は、空間７の中心とほぼ同じ高さである。また、開口部９をその軸方向から見たとき、開口部９の形状は円形である。また、図４に示すように、外縁部５Ｂのうち、開口部９の周囲の領域である縁部５Ｄは、内側（空間７の内部へ向う方向）に屈曲している。
【００１５】
なお、金属製品１は様々な技術分野（例えば、洋食器、家電製品（例えば洗濯機、冷蔵庫、エアコン等）の部品、自動車部品、日用品、食器等）に用いることができる。
２．金属製品１の製造方法
金属製品１は、以下の方法で製造できる。まず、平らな金属板を用意し、その金属板を、金属製品１の形状にプレス加工等の方法で成形する。ただし、この段階では、外縁部５Ｂは折り返さず、平らな形状としておく。
【００１６】
次に、ドリルを用いた穿孔により、外縁部５Ｂに開口部９を設ける。このとき、外縁部５Ｂの穿孔は、後に外縁部５Ｂを折り返したとき、外側となる面から、内側となる面に向けて行う。このことにより、縁部５Ｄは、後に外縁部５Ｂを折り返したとき、内側となる面側に屈曲する。また、穿孔のとき、バリが生じたとしても、バリは内向きとなる。最後に、外縁部５Ｂを上述したように折り返し、金属製品１を完成する。
【００１７】
３．金属製品１が奏する効果
（１）金属製品１では、外縁部５Ｂが折り返され、端面５Ａが側面５の一部である５Ｃに接している。そのため、金属製品１の使用者が端面５Ａで怪我をしてしまうことが起こり難い。
【００１８】
（２）金属製品１では、外縁部５Ｂに開口部９が設けられ、その開口部９によって空間７が外部と連通している。そのため、洗浄液を用いて金属製品１を洗浄するとき、洗浄液が空間７に入ったとしても、洗浄後、開口部９から洗浄液を容易に排出することができる。
【００１９】
（３）金属製品１では、開口部９の周囲の領域である縁部５Ｄが内側に屈曲している。そのため、金属製品１の使用者が縁部５Ｄで怪我をしてしまうことが起こり難い。
４．その他の実施形態
（１）開口部９の形状は円形でなくてもよい。例えば、図６に示すように、長軸が縦方向の楕円形であってもよいし、図７に示すように、長軸が横方向の楕円形であってもよいし、図８に示すように、矩形であってもよい。
【００２０】
（２）開口部９の位置は、上で説明した位置とは異なる位置であってもよい。例えば、図９に示すように、上寄りの位置であってもよいし、図１０に示すように、下寄りの位置であってもよいし、図１１に示すように、さらに下寄りであって、端面５Ａに近接した位置であってもよい。また、開口部９は、端面５Ａに達していてもよい。この場合、開口部９は、端面５Ａ側を含む溝（切欠部）となる。
【００２１】
（３）開口部９は、複数設けられていてもよい。例えば、図１２に示すように、上下方向での位置をそろえて、複数の開口部９を配置してもよいし、図１３に示すように、上下方向での位置を変えて、複数の開口部９を配置してもよい。
【００２２】
（４）開口部９の周囲の領域である縁部５Ｄは、図１４Ａに示すように、外側に屈曲していてもよい。この場合、空間７内の洗浄液を一層排出し易くなる。また、縁部５Ｄは、図１４Ｂに示すように、外縁部５Ｂ全体と一致する円弧形状を有していてもよい。
【００２３】
（５）外縁部５Ｂは、図１５に示すように、鋭く折り返され、外縁部５Ｂの先端部分５Ｂ１は、外縁部５Ｂ以外の側面５と接していてもよい。空間７は、外縁部５Ｂが鋭く折り返された部分に存在し、開口部９は、その空間７と外部とを連通している。
【００２４】
（６）金属製品１は、金属板に加えて、その他の形状（例えば棒状、筒状、球状、直方体形状等）の部分を有するものであってもよい。
（７）金属製品１では、金属板の外縁部５Ｂのうち、一部が折り返され、残りは折り返されていなくてもよい。
【００２５】
（８）開口部９は、外縁部５Ｂではなく、側面５のうち、外縁部５Ｂと対向する部分に設けてもよい。
（９）端面５Ａは、５Ｃに接触せず、両者の間に隙間が存在してもよい。
【符号の説明】
【００２６】
１…金属製品、３…底面、５…側面、５Ａ…端面、５Ｂ…外縁部、５Ｄ…縁部、７…空間、９…開口部
【図１】
2015085334.tif 000003
【図２】
2015085334.tif 000004
【図３】
2015085334.tif 000005
【図４】
2015085334.tif 000006
【図５】
2015085334.tif 000007
【図６】
2015085334.tif 000008
【図７】
2015085334.tif 000009
【図８】
2015085334.tif 000010
【図９】
2015085334.tif 000011
【図１０】
2015085334.tif 000012
【図１１】
2015085334.tif 000013
【図１２】
2015085334.tif 000014
【図１３】
2015085334.tif 000015
【図１４】
2015085334.tif 000016
【図１５】
2015085334.tif 000017